【手続補正書】
【提出日】平成20年6月2日(2008.6.2)
【手続補正１】
【補正対象書類名】特許請求の範囲
【補正対象項目名】全文
【補正方法】変更
【補正の内容】
【特許請求の範囲】
【請求項１】
通常は気体圧縮のサイクルで作動するが乾燥再生のサイクルでもまた作動し得る気体用の圧縮器システムであって、
１）気体供給部からの圧縮される気体（６）の流れが通る気体供給入口と、第１の圧縮ステージとを少なくとも有し、モータ（２７）によって駆動される圧縮器（５）と、
２）この圧縮器（５）に設けられこの圧縮器（５）から供給ライン（２）に気体（６）を供給する気体吐出出口と、
３）気体圧縮のサイクル中に圧縮器（５）を通る気体（６）の流れと直列配置された乾燥ベッド（７）を有する気体乾燥ステージと、
４）気体圧縮のサイクル中に圧縮器（５）を通る気体（６）の流れと直列配置され、乾燥ベッド（７）から下流に配置され、乾燥再生のサイクル中は気体から水分を取り除き、気体圧縮のサイクル中は通常は作動しない凝縮器（３０）と、
５）前記乾燥ベッド（７）および凝縮器（３０）内の温度を制御し、気体圧縮のサイクル中は作動しないが、乾燥再生のサイクルに入ると乾燥ベッド（７）が加熱され凝縮器（３０）が冷却されるように作動可能になる温度制御手段と、
６）前記気体吐出出口からの気体（６）の流れを切り替えて、圧縮器（５）中を再循環させる再生弁手段とを具備し、
かくして、この弁手段の作動によって始まる乾燥再生のサイクル中に、前記圧縮器（５）と、乾燥ベッド（７）と、凝縮器（３０）との中に閉じ込められた気体（６）が、気体吐出出口から再び導かれ、圧縮器（５）中を再循環する気体の流れとして閉ループ内で循環し、
また、このような再循環する気体の流れの少なくとも一部が、前記乾燥ベッド（７）および凝縮器（３０）を通り、この再循環する気体（１３）によって乾燥ベッド（７）から生じた水分が凝縮器（３０）まで運ばれるようにし、この凝縮器（３０）では、温度制御手段によって内部が低温に保たれているため、気体が液化する圧縮器システム。
【請求項２】
前記圧縮器（５）は、多段圧縮器であって、少なくとも第１のステージ（２８）および第２のステージ（３２）を有し、また、前記乾燥ベッド（７）および凝縮器（３０）は、圧縮器（５）の直列配置されたステージの間に直列配置されている請求項１の圧縮器システム。
【請求項３】
前記乾燥ベッド（７）と、前記凝縮器（３０）とは、圧縮器（５）の前記第１のステージ（２８）と前記第２のステージ（３２）との間に直列配置されている請求項２の圧縮システム。
【請求項４】
前記凝縮器（３０）は、凝縮物として水（５４）を生じさせ、また、半透性の膜（６１）を更に具備し、前記凝縮された水（５４）は、この膜を通って周囲に蒸発され得る請求項１ないし３のいずれか１の圧縮器システム。
【請求項５】
前記膜（６１）は、凝縮された水（５４）が重力によって満たされる管の形態を有する請求項４の圧縮器システム。
【請求項６】
前記圧縮器（５）は、第１のステージの圧縮器の入口と、シールされた金属のケーシング（２６）とを有し、このケーシングの内部空間（１４）は、気体供給入口（３Ａ）と、第１のステージの圧縮器の入口（５Ｂ）へと接続されており、前記内部空間（１４）は更に、
１）この内部空間（１４）中に収容され、前記圧縮器（５）を駆動させるように接続された前記モータ（２７）と、
２）前記気体供給入口に設けられた供給弁とを収容し、この気体供給入口は、前記弁手段が圧縮器（５）を通る再循環をさせるように気体（６）の流れを切り替えたときに閉じ、圧縮された気体（６）が前記供給ライン（２）を通過するときに開き、
かくして、前記再生弁手段の作動状態に従い、ケーシング（２６）の内部空間（１４）内の気体（６）は、第１のステージの圧縮器（２８）を通り前記気体供給入口（３Ａ）または圧縮器出口から引き込まれ得る請求項１ないし５のいずれか１の圧縮器システム。
【請求項７】
前記モータ（２７）および圧縮器を減じられた速度で動作させる目的で、モータ（２７）の可変的な速度操作を行うようにモータ制御回路（４５）に接続されたメインロジックコントローラ（４６）を具備し、前記速度は、凝縮器（３０）を通る再循環をする気体（１３）の流れが制限されるように乾燥再生中に調節され、この気体（１３）は、凝縮器（３０）内にあるときに冷却可能にされ、これによって、乾燥ベッド（７）から凝縮器（３０）への水分の移動が果たされ得る請求項６の圧縮器システム。
【請求項８】
前記モータ（２７）は、交流誘導モータであり、前記モータ制御回路（４５）は、可変周波数の交流信号を生成し、前記モータ（２７）の速度は、この可変周波数に従って変えられる請求項７の圧縮器システム。
【請求項９】
前記モータ（２７）に電流を送るために前記ケーシング（２６）内に配置されたモータ制御回路（４５）を具備し、このモータ制御回路（４５）は、前記ケーシング（２６）によってシールドされた配線を通してモータ（２７）に接続されており、従って、前記モータ制御回路（４５）からモータ（２７）に送られる電流によって生じる電磁放射線が、前記金属のケーシング（２６）の外部へ放射されない請求項６の圧縮器システム。
【請求項１０】
再生のサイクル中に前記凝縮器（３０）を通る再循環する気体（１３）の流れが制限されるように、乾燥ベッド（７）および凝縮器（３０）を通る気体から再循環する気体（１３）を方向転換させるバイパスライン（６０，６０Ａ）に接続されたバイパス弁を更に具備し、前記気体の流れは、凝縮器（３０）内にあるときに冷却可能にされ、これによって、乾燥ベッド（７）から凝縮器（３０）への水分の移動が果たされ得る請求項１ないし５のいずれか１の圧縮器システム。
【請求項１１】
１）前記圧縮器（５）の第１の圧縮ステージ（２８）は、第１のステージの圧縮器の入口を有し、
２）前記乾燥ベッド（７）と、前記凝縮器（３０）とは、第１の圧縮ステージ（２８）に続く気体の流れの中に配置され、
３）前記バイパスライン（６０Ａ）は、再循環する気体（１３）を第２のステージの圧縮器の入口に方向転換させる請求項１０の圧縮器システム。
【請求項１２】
シールされた金属のケーシング（２６）と組み合わされ、この内部空間（１４）は、気体供給入口と、第１のステージの圧縮器の入口とに接続されており、前記バイパスライン（６０）は、シールされた金属のケーシング（２６）の内部空間（１４）に再循環する気体（１３）を方向転換させる請求項１０または１１の圧縮器システム。
【請求項１３】
前記圧縮器（５）は、多段圧縮器であって、少なくとも第１のステージ（２８）および第２のステージ（３２）を有し、また、前記乾燥ベッド（７）および凝縮器（３０）は、気体圧縮のサイクル中に第１のステージ（２８）から第２のステージ（３２）へと通る気体の流れに直列配置されている圧縮器システムであって、この圧縮器システムは、
ａ）前記第１のステージの圧縮器の入口（５Ｂ）と、前記気体供給入口とに接続された内部区間（１４）を有するシールされた金属のケーシング（２６）と、
ｂ）シールされた金属のケーシング（２６）の前記内部空間（１４）に再循環する気体（１３）を方向転換させる第１のバイパスライン（６０Ａ）と、
ｃ）前記第２のステージ（２１）に再循環する気体（１３）を方向転換させる第２のバイパスライン（６０）と、
ｄ）前記第１のバイパスライン（６０）と第２のバイパスライン（６０Ａ）とに気体を方向転換させる作動可能な弁手段とを有し、
乾燥再生サイクル中に、前記弁手段は、再生のサイクル中に凝縮器（３０）を通る再循環する気体（１３）の流れが制限されるように、乾燥ベッド（７）および凝縮器（３０）を通る気体から再循環する気体（１３）を第１のバイパスライン（６０）および第２のバイパスライン（６０Ａ）へと方向転換させ、前記気体の流れは、凝縮器（３０）内にあるときに冷却可能にされ、これによって、乾燥ベッド（７）から凝縮器（３０）への水分の移動が果たされ得る請求項１の圧縮器システム。
【手続補正２】
【補正対象書類名】明細書
【補正対象項目名】発明の名称
【補正方法】変更
【補正の内容】
【発明の名称】乾燥器を有する気体用の圧縮器
【手続補正３】
【補正対象書類名】明細書
【補正対象項目名】０００４
【補正方法】変更
【補正の内容】
【０００４】
このタイプの既存の圧縮器は、２ベッドシステムを使用して連続的に作動する気体乾燥構成を用いている。このタイプの技術の例は、米国特許Ｎｏ．６、１１７、２１１，ＥＰ０７９９６３５，ＷＯ０１/７８８７２である。
本発明は、単一ベッドシステムを使用してこのシステムが再生を果たし得るように気体の圧縮が最終的に中断される形で非連続的に作動する気体乾燥構成を用いることによって、圧縮される気体中に少量の水蒸気のみが存在する状態でこの天然ガスを圧縮するという課題に取り組んでいる。
【手続補正４】
【補正対象書類名】明細書
【補正対象項目名】０００８
【補正方法】変更
【補正の内容】
【０００８】
本発明に係われば、通常は気体圧縮のサイクルで作動するが乾燥再生のサイクルでもまた作動し得る気体用の圧縮器システムであって、
１）気体供給部からの圧縮される気体の流れが通る気体供給入口と、第１の圧縮ステージとを少なくとも有し、モータによって駆動される圧縮器と、
２）この圧縮器に設けられこの圧縮器から供給ラインに気体を供給する気体吐出出口と、
３）気体圧縮のサイクル中に圧縮器を通る気体の流れと直列配置された乾燥ベッドを有する気体乾燥ステージと、
４）気体圧縮のサイクル中に圧縮器を通る気体の流れと直列配置され、乾燥ベッドから下流に配置され、乾燥再生のサイクル中は気体から水分を取り除き、気体圧縮のサイクル中は通常は作動しない凝縮器と、
５）前記乾燥ベッドおよび凝縮器内の温度を制御し、気体圧縮のサイクル中は作動しないが、乾燥再生のサイクルに入ると乾燥ベッドが加熱され凝縮器が冷却されるように作動可能になる温度制御手段と、
６）前記気体吐出出口からの気体の流れを切り替えて、圧縮器中を再循環させる再生弁手段とを具備し、かくして、この弁手段の作動によって始まる乾燥再生のサイクル中に、前記圧縮器と、乾燥ベッドと、凝縮器との中に閉じ込められた気体が、気体吐出出口から再び導かれ、圧縮器中を再循環する気体の流れとして閉ループ内で循環し、
また、このような再循環する気体の流れの少なくとも一部が、前記乾燥ベッドおよび凝縮器を通り、この再循環する気体によって乾燥ベッドから生じた水分が凝縮器まで運ばれるようにし、この凝縮器では、温度制御手段によって内部が低温に保たれているため、気体が液化する圧縮器システムが、提供される。
【手続補正５】
【補正対象書類名】明細書
【補正対象項目名】０００９
【補正方法】削除
【補正の内容】
【手続補正６】
【補正対象書類名】明細書
【補正対象項目名】００２９
【補正方法】変更
【補正の内容】
【００２９】
再生処理を早めて、水の再生（recovery）を助けるために、サーモスタット制御の電気素子５２が乾燥ベッド７を暖める。暖められ水分を含む掃引気体は、凝縮器３０を掃引するときにより効果的に水蒸気を放出する。
図２および６に示されているように、液化された水５４が凝縮物として、戻し導管５５の高さより低いところにある凝縮器３０の底部に集まる。残りの汚染物質８，８ａを含んだこの水凝縮物５４は、簡単に集められ回収されて、好ましくは半透性膜６１から構成された壁部を有する管３１の形態をとった分離チャンバに送られ得る。半透性膜６１は、透過物として水のみを透過する。膜６１の他側面では、この膜を通って拡散した水が蒸発する。この処理は、ファン４２によって作り出される気流によって加速できる。その場合は、覆い４３が、膜６１にわたって一定の気流を与えるようにダクトとして働く。任意で、膜の近くの気流が、膜ヒータ５６によって加熱されてもよい。
ファン４２によって循環する気流５９がまた、好ましくは別個の導管組織（図示されず）を利用して凝縮器３０を冷却するために使用可能である。
【手続補正７】
【補正対象書類名】図面
【補正対象項目名】図２
【補正方法】変更
【補正の内容】
【図２】
2006502374.tif 000001